(57)【要約】【課題】二電極構造のプラズマディスプレイパネルにおいて、安定した維持放電を発生させるとともに、放電特性を安定させることが出来るプラズマディスプレイパネルを提供する。【解決手段】前面ガラス基板１０の背面側に、第１バス電極部Ｘ１ａが行方向に延び列方向に並設された複数の第１電極Ｘ１が形成されて第１誘電体層１１によって被覆され、この第１誘電体層１１の背面側に、第２電極本体部Ｙ１ａが列方向に延び行方向に並設された第２電極Ｙ２が形成されて第２誘電体層１２によって被覆され、第１バス電極部Ｘ１ａから突出する第１透明電極部Ｘ１ｂと第２電極本体部Ｙ１ａから突出する第２透明電極部Ｙ１ｂが、前面ガラス基板１０側から見て所要の間隔を開けて対向されており、第１透明電極部Ｘ１ｂを被覆している第２誘電体層１２の放電空間に面している部分に凹部１２Ａが形成されている。【選択図】    図６
2004335280.tif 000002
【特許請求の範囲】
【請求項１】
前面基板と背面基板が放電空間を介して対向され、
前面基板の背面基板に対向する側の面に誘電体層が形成され、
前面基板の厚さ方向において誘電体層内の異なる平面内に、第１電極本体部が行方向に延び列方向に並設された複数の第１電極と第２電極本体部が列方向に延び行方向に並設された第２電極が形成され、
この第１電極の第１電極本体部から突出する第１電極突出部と第２電極の第２電極本体部から突出する第２電極突出部が、前面基板側から見て、所要の間隔を開けて対向されており、
第１電極と第２電極のうち前面基板の厚さ方向において前面基板側に位置する電極の少なくとも電極突出部を被覆している誘電体層の放電空間に面している部分に凹部が形成されている、ことを特徴とするプラズマディスプレイパネル。
【請求項２】
前記第１電極と第２電極のうち前面基板の厚さ方向において前面基板側に位置する電極の電極突出部と放電空間の間に介在する誘電体層の厚さが、前面基板から離れている側に位置する電極の電極突出部と放電空間の間に介在する誘電体層の厚さとほぼ等しくなっている請求項１に記載のプラズマディスプレイパネル。
【請求項３】
前記第１電極の第１電極突出部が、この第１電極の第１電極本体部のそれぞれ互いに隣接している二本の第２電極の第２電極本体部の中間部分から一方向に突出する島状の透明電極部であり、第２電極の第２電極突出部が、前面基板側から見て、第１電極の第１電極突出部に対してそれぞれ所要の間隔を開けて対向される島状の透明電極部であり、この第２電極の透明電極部が電極連結部によって第２電極本体部に接続されている請求項１に記載のプラズマディスプレイパネル。
【請求項４】
前記第１電極と第２電極のそれぞれの透明電極部が、略Ｔ字形状に成形されていて、第１電極と第２電極の互いに対になっている透明電極部のそれぞれのＴ字形の幅広の部分が、前面基板側から見て所要の間隔を開けて対向されている請求項３に記載のプラズマディスプレイパネル。
【請求項５】
前記第１電極の第１電極本体部が、黒色または暗色の金属層によって形成されている請求項１に記載のプラズマディスプレイパネル。
【請求項６】
前記第２電極の第２電極本体部が、黒色または暗色の金属層によって形成されている請求項１に記載のプラズマディスプレイパネル。
【請求項７】
前記第２電極の電極連結部が、黒色または暗色の金属層によって形成されている請求項３に記載のプラズマディスプレイパネル。
【請求項８】
前記第２電極の電極連結部が第１電極の第１電極本体部に対してほぼ平行に延び、前面基板側から見て、この第２電極の電極連結部と第１電極の第１電極本体部との間に、行方向に延びる黒色または暗色の光吸収層が形成されている請求項３に記載のプラズマディスプレイパネル。
【請求項９】
前記背面基板の前面基板と対向する側の面上に、放電空間を、互いに対になっている第１電極の第１電極突出部と第２電極の第２電極突出部に対向する単位発光領域ごとに区画する隔壁が形成されている請求項１に記載のプラズマディスプレイパネル。
【請求項１０】
前記隔壁が、第１電極の第１電極本体部と対向する部分において列方向に延びる横壁部を備えている請求項９に記載のプラズマディスプレイパネル。
【請求項１１】
前記隔壁が、第２電極の第２電極本体部と対向する部分において行方向に延びる縦壁部を備えている請求項９に記載のプラズマディスプレイパネル。
【請求項１２】
前記隔壁が、第１電極の第１電極本体部と対向する部分において列方向に延びる横壁部と、第２電極の第２電極本体部と対向する部分において行方向に延びる縦壁部とによって、略格子形状に成形されている請求項９に記載のプラズマディスプレイパネル。
【請求項１３】
前記第２電極の電極連結部が第１電極の第１電極本体部に対してほぼ平行に延び、前面基板側から見てこの第２電極の電極連結部と第１電極の第１電極本体部との間に、行方向に延びる黒色または暗色の光吸収層が形成されており、背面基板の前面基板と対向する側の面上に、放電空間を互いに対になっている第１電極の第１電極突出部と第２電極の第２電極突出部に対向する単位発光領域ごとに区画する隔壁が形成されていて、隔壁が、第１電極の第１電極本体部と第２電極の電極連結部と光吸収層に対向する部分において列方向に延びる横壁部を備えている請求項１に記載のプラズマディスプレイパネル。
【請求項１４】
前記誘電体層の背面側の第１電極の第１電極本体部と対向する部分に、放電空間側に突出して、隔壁の横壁部との間で列方向に隣接する単位発光領域間を閉じる嵩上げ誘電体層が形成されている請求項１０に記載のプラズマディスプレイパネル。
【請求項１５】
前記嵩上げ誘電体層と隔壁の横壁部の列方向に隣接する単位発光領域間を閉じている部分に、この列方向に隣接する単位発光領域間の一部を連通させる連通部が形成されている請求項１４に記載のプラズマディスプレイパネル。
【請求項１６】
前記連通部が、嵩上げ誘電体層の列方向に隣接する単位発光領域間を閉じている部分に形成された溝部である請求項１５に記載のプラズマディスプレイパネル。
【請求項１７】
前記誘電体層の背面側の第２電極の電極本体部と対向する部分に、放電空間側に突出して、隔壁の縦壁部との間で行方向に隣接する単位発光領域間を閉じる嵩上げ誘電体層が形成されている請求項１１に記載のプラズマディスプレイパネル。
【発明の詳細な説明】
【０００１】
【発明の属する技術分野】
この発明は、プラズマディスプレイパネルのパネル構造に関する。
【０００２】
【従来の技術】
近年、大型で薄型のカラー画面表示装置として面放電方式交流型プラズマディスプレイパネル（以下、ＰＤＰという）が注目を集めており、家庭への普及も拡大して来ている。
【０００３】
図１ないし４は、従来の二電極構造の面放電方式交流型ＰＤＰの構成を示している。
【０００４】
図１は、この従来のＰＤＰのパネル構造を示す斜視図であり、図２はこのＰＤＰの表示面の正面図，図３は図２のＶ−Ｖ線における断面図，図４は図２のＷ−Ｗ線における断面図である。
【０００５】
この図１ないし４において、前面ガラス基板１の背面側に、第２電極Ｙが、行方向（図２において左右方向）に延び列方向（図２において上下方向）に所要の間隔を開けて並設されていて、前面ガラス基板１の背面側に形成された第１誘電体層２によって被覆されている。
【０００６】
さらに、この第１誘電体層２の背面側には、第１電極Ｘが、列方向に延び行方向に所要の間隔を開けて並設されていて、第１誘電体層２の背面側に形成された第２誘電体層３によって被覆されている。
【０００７】
この第１電極Ｘは、行方向に延びる帯状の金属膜からなる第１電極本体部Ｘａと、この第１電極本体部Ｘａの互いに隣接する二本の第２電極Ｙの間に位置する部分の中央位置に、それぞれ第１電極本体部Ｘａから下方に突出するように形成されたＩＴＯ等の透明導電膜からなる第１電極突出部Ｘｂとから構成されている。
【０００８】
第２電極Ｙは、列方向に延びる帯状の金属膜からなる第２電極本体部Ｙａと、この第２電極本体部Ｙａの互いに隣接する二本の第１電極Ｘの間に位置する部分のほぼ中央位置からそれぞれ行方向に突出するように形成されて、前面ガラス基板１側から見て第１電極突出部Ｘｂと対向する位置に位置されるＩＴＯ等の透明導電膜からなる第２電極突出部Ｙｂとから構成されている。
【０００９】
第２誘電体層３の背面側には、ＭｇＯからなる保護層４が形成されている。
【００１０】
一方、前面ガラス基板１と放電空間Ｓを介して平行に配置された背面ガラス基板５の前面ガラス基板１と対向する面上には、第２電極Ｙと対向する位置に、列方向に沿って延びる帯状の隔壁６が形成されている。
【００１１】
そして、この背面ガラス基板５上の各隔壁６の間、すなわち、前面ガラス基板１側から見て、各第１電極Ｘの第１電極突出部Ｘｂと第２電極Ｙの第２電極突出部Ｙｂに対向する部分には、それぞれ、背面ガラス基板５の表面と両側の隔壁６の側面を覆うように、蛍光体層７が形成されている。
【００１２】
この蛍光体層７は、三原色である赤（Ｒ），緑（Ｇ），青（Ｂ）の色が、行方向に順に並ぶように色分けされている。
【００１３】
前面ガラス基板１側から見て互いに対向されて対になった第１電極Ｘの第１電極突出部Ｘｂと第２電極Ｙの第２電極突出部Ｙｂに対向する部分の放電空間Ｓに、それぞれ放電セルＣが形成されている。
【００１４】
そして、放電空間Ｓ内に放電ガスが封入されている。
【００１５】
上記二電極構造のＰＤＰは、先ず、リセット期間に、全ての放電セルＣにおいて、第１電極Ｘの第１電極突出部Ｘｂと第２電極Ｙの第２電極突出部Ｙｂとの間で一斉にリセット放電が行われて、第１誘電体層２および第２誘電体層３の壁電荷が消去される。
【００１６】
次のアドレス期間において、第１電極Ｘに走査パルスが順次印加され、第２電極Ｙに映像信号に対応したデータ・パルスが印加されて、互いに対向して対になっている第１電極突出部Ｘｂと第２電極突出部Ｙｂ間で、選択的にアドレス放電が発生される。
【００１７】
このアドレス放電により、放電によって壁電荷が形成された放電セル（発光セル）Ｃと、壁電荷が形成されなかった放電セル（非発光セル）Ｃとが、形成しようとする画像に対応してＰＤＰのパネル面に分布される。
【００１８】
この後、次の放電維持発光期間において、第１電極Ｘと第２電極Ｙに交互に放電維持パルスが印加されて、この放電維持パルスが印加される毎に、各発光セルにおいて、互いに対向する第１電極突出部Ｘｂと第２電極突出部Ｙｂ間で維持放電ｄ（図３参照）が発生される。
【００１９】
そして、この維持放電ｄによって、放電空間Ｓ内に封入されている放電ガスから紫外線が発生され、この紫外線によって各発光セルに面している赤（Ｒ），緑（Ｇ），青（Ｂ）の蛍光体層７がそれぞれ励起されて発光することにより、ＰＤＰのパネル面に映像信号に対応した画像が形成される（例えば、特許文献１参照）。
【００２０】
【特許文献１】
特開２００１−２８３７３５号公報
【００２１】
【発明が解決しようとする課題】
上記従来の二電極構造のＰＤＰは、図３からよく分かるように、第１電極Ｘと第２電極Ｙが、第１誘電体層２と第２誘電体層３の異なる誘電体層内に形成されていて、ＰＤＰの厚さ方向において互いに異なる平面に位置されているために、第１電極Ｘから放電セルＣの放電空間までの間に介在する誘電体層の厚さと、第２電極Ｙからの誘電体層の厚さとが異なっていて、第２電極Ｙから放電空間までの誘電体層の厚さの方が厚くなっている。
【００２２】
このために、放電セルＣの放電空間内に形成される電場が、第１電極Ｘと第２電極Ｙとで異なり、その結果として、放電が一方向のみにしか生じなくなるといった問題が発生する可能性がある。
【００２３】
さらに、第１電極Ｘと第２電極Ｙに印加する駆動電圧に差異が生じて、放電特性が不安定になる虞がある。
【００２４】
この発明は、上記のような従来の二電極構造のプラズマディスプレイパネルが有している問題点を解決することを、その解決課題の一つとしているものである。
【００２５】
【課題を解決するための手段】
第１の発明（請求項１に記載の発明）によるプラズマディスプレイパネルは、上記目的を達成するために、前面基板と背面基板が放電空間を介して対向され、前面基板の背面基板に対向する側の面に誘電体層が形成され、前面基板の厚さ方向において誘電体層内の異なる平面内に、第１電極本体部が行方向に延び列方向に並設された複数の第１電極と第２電極本体部が列方向に延び行方向に並設された第２電極が形成され、この第１電極の第１電極本体部から突出する第１電極突出部と第２電極の第２電極本体部から突出する第２電極突出部が、前面基板側から見て、所要の間隔を開けて対向されており、第１電極と第２電極のうち前面基板の厚さ方向において前面基板側に位置する電極の少なくとも電極突出部を被覆している誘電体層の放電空間に面している部分に凹部が形成されていることを特徴としている。
【００２６】
【発明の実施の形態】
以下、この発明の最も好適と思われる実施の形態について、図面を参照しながら詳細に説明を行う。
【００２７】
図５ないし１１は、この発明による二電極構造のプラズマディスプレイパネル（以下、ＰＤＰという）の実施形態における第１の例を示すものであって、図５はこの第１の例におけるＰＤＰを模式的に示す正面図であり、図６は図５のＶ１−Ｖ１線における断面図，図７は図５のＶ２−Ｖ２線における断面図，図８は図５のＶ３−Ｖ３線における断面図，図９は図５のＷ１−Ｗ１線における断面図，図１０は図５のＷ２−Ｗ２線における断面図，図１１は図５のＷ３−Ｗ３線における断面図である。
【００２８】
この図５ないし１１において、前面ガラス基板１０の背面側に、第１電極Ｘ１が、行方向（図５において左右方向）に延び列方向（図５において上下方向）に所要の間隔を開けて並設されている。
【００２９】
この第１電極Ｘ１は、行方向に延びる黒色または暗色の金属膜からなる帯状の第１バス電極部Ｘ１ａと、この第１バス電極部Ｘ１ａの等間隔位置に、ＩＴＯ等の透明導電膜によってＴ字形状に形成されて、第１バス電極部Ｘ１ａから下方に延びるようにその幅狭の基端部が接続された第１透明電極部Ｘ１ｂとから構成されている。
【００３０】
さらに、前面ガラス基板１０の背面側には、第１バス電極部Ｘ１ａの第１透明電極部Ｘ１ｂが突出している側と反対側の側部に沿って行方向に平行に延びるように、黒色または暗色の光吸収層（遮光層）ＢＳが形成されている。
【００３１】
そして、この第１電極Ｘ１と光吸収層（遮光層）ＢＳは、前面ガラス基板１０の背面側に形成された第１誘電体層１１によって被覆されている。
【００３２】
この第１誘電体層２の背面側には、第２電極Ｙ１が、列方向に延び行方向に所要の間隔を開けて並設されている。
【００３３】
この第２電極Ｙ１は、黒色または暗色の金属膜によって帯状に形成されて、第１電極Ｘ１の第１バス電極部Ｘ１ａに沿って等間隔に形成された隣接する二つの第１透明電極部Ｘ１ｂの中間位置に対向する位置を通って列方向に延びる第２電極本体部Ｙ１ａと、ＩＴＯ等の透明導電膜によってＴ字形状に形成されてその幅広の頂部が、前面ガラス基板１０側から見て、第１電極Ｘ１の第１透明電極部Ｘ１ｂのＴ字形の幅広の頂部部分と所要の間隔を開けて平行に位置される第２透明電極部Ｙ１ｂと、黒色または暗色の金属膜によって帯状に形成されて、第２電極本体部Ｙ１ａから行方向に延びて第２透明電極部Ｙ１ｂの幅狭の基端部分と第２電極本体部Ｙ１ａとを接続する電極連結部Ｙ１ｃとから構成されている。
【００３４】
なお、この第２電極Ｙ１の電極連結部Ｙ１ｃは、前面ガラス基板１０側から見て、光吸収層（遮光層）ＢＳを挟んで第１バス電極部Ｘ１ａと反対側位置に、光吸収層（遮光層）ＢＳと平行に位置されている。
【００３５】
この第２電極Ｙ１は、第１誘電体層１１の背面側に形成された第２誘電体層１２によって被覆されている。
【００３６】
この第２誘電体層１２は、第１誘電体層１１とほぼ同じ厚さに形成されている。
【００３７】
そして、この第２誘電体層１２の前面ガラス基板１０側から見て第１電極Ｘ１の第１透明電極部Ｘ１ｂに対向する部分には、方形の凹部１２Ａが形成されている。
【００３８】
この第２誘電体層１２の背面側には、第２電極Ｙ１の第２電極本体部Ｙ１ａと電極連結部Ｙ１ｃ、および、前面ガラス基板１０側から見て第１バス電極部Ｘ１ａの電極連結部Ｙ１ｃに対向している部分と光吸収層（遮光層）ＢＳの電極連結部Ｙ１ｃと第１バス電極部Ｘ１ａに挟まれている部分に対向する領域部分に、前面ガラス基板１０と反対方向に突出する嵩上げ誘電体層１３が形成されている。
【００３９】
この嵩上げ誘電体層１３は、図５および８に示されるように、第２電極Ｙ１の電極連結部Ｙ１ｃの先端部（図５において右端部）と隣接する他の第２電極Ｙ１の第２電極本体部Ｙ１ａとの間の領域に対向する部分には形成されておらず、この部分に列方向に延びる溝部１３Ａが形成されている。
【００４０】
この嵩上げ誘電体層１３と第２誘電体層１２，凹部１２Ａ内の第１誘電体層１１の表面が、ＭｇＯによって形成される図示しない保護層によって被覆されている。
【００４１】
上記構成を有する前面ガラス基板１０に対して、所要の間隔を開けて背面ガラス基板１４が平行に対向されている。
【００４２】
この背面ガラス基板１４の前面ガラス基板１０側に対向する側の面（内面）上に、前面ガラス基板１０と背面ガラス基板１４の間の空間を区画する隔壁１５が形成されている。
【００４３】
この隔壁１５は、第２電極Ｙ１の第２電極本体部Ｙ１ａに対向する領域において列方向に帯状に延びる縦壁部１５Ａと、第１電極Ｘ１の第１バス電極部Ｘ１ａおよび第２電極Ｙ１の電極連結部Ｙ１ｃを含む行方向に延びる帯状の部分，光吸収層（遮光層）ＢＳに対向する領域において行方向に帯状に延びる横壁部１５Ｂによって、略格子形状に成形されている。
【００４４】
そして、この隔壁１５によって、前面ガラス基板１０と背面ガラス基板１４の間の放電空間が、互いに対になっている第１透明電極部Ｘ１ｂと第２透明電極部Ｙ１ｂに対向する部分毎に方形に区画されて、それぞれ放電セルＣ１が形成されている。
【００４５】
この隔壁１５の縦壁部１５Ａの前面ガラス基板１０に対向する側の面（表示側の面）は、嵩上げ誘電体層１３を被覆する保護層に当接されていて、行方向において互いに隣接する放電セルＣ１のそれぞれの間が閉じられている（図９ないし１１参照）。
【００４６】
隔壁１５の横壁部１５Ｂは、図６に示されるように、その一部が嵩上げ誘電体層１３を被覆する保護層に当接されているが、嵩上げ誘電体層１３の溝部１３Ａによって、横壁部１５Ｂの表示側の面と第２誘電体層１２を被覆している保護層との間に隙間が形成され、これによって、この溝部１３Ａを介して列方向において隣接する放電セルＣ１の間が互いに連通されている。
【００４７】
各放電セルＣ１内において、背面ガラス基板１４の表面と隔壁１５の縦壁部１５Ａおよび横壁部１５Ｂの側面の五つの面を覆うように、蛍光体層１６が形成されている。
【００４８】
この蛍光体層１６は、三原色である赤（Ｒ），緑（Ｇ），青（Ｂ）の色が、行方向に順に並ぶように色分けされている。
【００４９】
放電空間内には放電ガスが封入されており、この放電ガスには、Ｎｅと１０パーセント以上のＸｅが含まれている。
【００５０】
そして、行方向に一列に並ぶ放電セルＣ１によって、それぞれ表示ラインＬが形成される。
【００５１】
上記二電極構造のＰＤＰは、先ず、リセット期間に、全ての放電セルＣ１において、第１電極Ｘ１の第１透明電極部Ｘ１ｂと第２電極Ｙ１の第２透明電極部Ｙ１ｂとの間で一斉にリセット放電が行われて、第１誘電体層１１および第２誘電体層１２の壁電荷が全て消去（または、第１誘電体層１１および第２誘電体層１２の全てに壁電荷が形成）される。
【００５２】
次のアドレス期間において、第１電極Ｘ１に走査パルスが順次印加され、第２電極Ｙ１に映像信号に対応したデータ・パルスが印加されて、互いに対になっている第１透明電極部Ｘ１ｂと第２透明電極部Ｙ１ｂとの間で、選択的にアドレス放電が発生される。
【００５３】
この選択的にアドレス放電が発生された放電セルＣ１において、アドレス放電によって、第１誘電体層１１および第２誘電体層１２に壁電荷が形成（または、形成されていた壁電荷が消去）されて、第１誘電体層１１および第２誘電体層１２に壁電荷が形成されている放電セル（発光セル）Ｃ１と、壁電荷が形成されていない放電セル（非発光セル）Ｃ１とが、形成しようとする画像に対応してＰＤＰのパネル面に分布される。
【００５４】
この後、次の放電維持発光期間において、第１電極Ｘ１と第２電極Ｙ１に交互に放電維持パルスが印加されて、この放電維持パルスが印加される毎に、各発光セルにおいて、互いに対になっている第１透明電極部Ｘ１ｂと第２透明電極部Ｙ１ｂとの間で、維持放電ｄ１（図６参照）が発生される。
【００５５】
そして、この維持放電ｄ１によって放電空間内に封入されている放電ガスのＸｅガスから紫外線が発生され、この紫外線によって各発光セルに面している赤（Ｒ），緑（Ｇ），青（Ｂ）の蛍光体層１６がそれぞれ励起されて発光することにより、ＰＤＰのパネル面に映像信号に対応した画像が形成される。
【００５６】
この放電維持発光期間において、第１電極Ｘ１と第２電極Ｙ１には、同じ電圧値の放電維持パルスが印加される。
【００５７】
このとき、上記の例のＰＤＰの第１透明電極部Ｘ１ｂと放電セルＣ１内の放電空間との間には、凹部１２Ａの形成によって、第２誘電体層１２の厚さとほぼ同じ厚さの第１誘電体層１１のみが介在されているので、第１透明電極部Ｘ１ｂから放電セルＣ１内の放電空間までの距離と第２透明電極部Ｙ１ｂから放電セルＣ１内の放電空間までの距離とがほぼ等しくなっている。
【００５８】
これによって、第１電極Ｘ１と第２電極Ｙ１に同じ電圧値の放電維持パルスが印加される場合であっても、放電セルＣ１の放電空間内に形成される電場が、第１電極Ｘ１と第２電極Ｙ１とでほぼ同じになり、従来のように、対になっている電極に同じ電圧値の放電維持パルスを印加した場合に維持放電が一方向のみにしか生じなくなるといった問題が発生する虞は無くなる。
【００５９】
さらに、第１電極Ｘ１と第２電極Ｙ１に異なる電圧値の放電維持パルスを印加する必要が無くなり、これによって、駆動電圧に差異が生じて放電特性が不安定になるのを防止することが出来るようになる。
【００６０】
また、上記の例のＰＤＰは、隔壁１５の縦壁部１５Ａが嵩上げ誘電体層１３を被覆する保護層に当接されて、行方向において互いに隣接する放電セルＣ１のそれぞれの間が閉じられていることによって、アドレス放電や維持放電が行方向に隣接する放電セルＣ１間で広がるのが防止され、これによって、アドレス放電や維持放電の誤放電の発生が防止される。
【００６１】
さらに、隔壁１５の横壁部１５Ｂの一部が嵩上げ誘電体層１３を被覆する保護層に当接されて、列方向において互いに隣接する放電セルＣ１のそれぞれの間の一部が閉じられていることによって、アドレス放電や維持放電が列方向に隣接する放電セルＣ１間で広がるのが防止され、これによって、アドレス放電や維持放電の誤放電の発生が防止されるとともに、溝部１３Ａによって、列方向において互いに隣接する放電セルＣ１がそれぞれ連通されていることによって、放電によって発生するプライミング粒子がこの溝部１３Ａを通って隣接する放電セルＣ１内に流入して、その隣接する放電セルＣ１内における放電が誘発されるプライミング効果が発揮される。
【００６２】
そして、上記の例のＰＤＰによれば、隔壁１５が略格子形状に成形されて、その縦壁部１５Ａと横壁部１５Ｂの側面にも蛍光体層１６が形成されるので、各放電セルＣ１における蛍光体層１６の発光面積が従来のＰＤＰと比較して拡大されることにより、発光効率が大幅に増加される。
【００６３】
図１２は、この発明によるＰＤＰの実施形態における第２の例を示している。
この図１２は、第２の例のＰＤＰを上記第１の例の図６と同じ部分で断面した側断面図である。
【００６４】
この第２の例のＰＤＰは、上記第１の例の隔壁１５の横壁部１５Ｂが第１電極Ｘ１の第１バス電極部Ｘ１ａおよび第２電極Ｙ１の電極連結部Ｙ１ｃ，光吸収層（遮光層）ＢＳに対向する幅を有するように形成されていたのに対し、隔壁２５の横壁部２５Ｂが、第１電極Ｘ１の第１バス電極部Ｘ１ａと光吸収層（遮光層）ＢＳに対向する幅を有するように形成されて、第１の例の場合よりも、その横壁部２５Ｂの幅が小さくなっている。
【００６５】
他の部分の構成は、第１の例のＰＤＰとほぼ同様であり、同一の符号が付されている。
【００６６】
この第２の例のＰＤＰは、前面ガラス基板１０側から見て、隣接する表示ライン間において互いに背中合わせに位置する第１バス電極部Ｘ１ａと第２電極Ｙ１の電極連結部Ｙ１ｃとの間に形成される電極間容量が、第１の例の場合と比べて、低減される。
【００６７】
なお、上記の各例においては、第１電極Ｘ１が第２電極Ｙ１よりも前面ガラス基板１０に近い位置に形成されて、第２誘電体層１２の第１透明電極部Ｘ１ｂに対向する部分に凹部１２Ａが形成されているが、この反対に、第２電極Ｙ１が第１電極Ｘ１よりも前面ガラス基板１０に近い位置に形成されて、第２電極Ｙ１が第１誘電体層１１によって被覆され第１電極Ｘ１が第２誘電体層１２によって被覆される場合には、第２誘電体層１２の凹部１２Ａは、第２電極Ｙ１の第２透明電極部Ｙ１ｂに対向する部分に形成される。
【００６８】
上記各例のＰＤＰは、前面基板と背面基板が放電空間を介して対向され、前面基板の背面基板に対向する側の面に誘電体層が形成され、前面基板の厚さ方向において誘電体層内の異なる平面内に、第１電極本体部が行方向に延び列方向に並設された複数の第１電極と第２電極本体部が列方向に延び行方向に並設された第２電極が形成され、この第１電極の第１電極本体部から突出する第１電極突出部と第２電極の第２電極本体部から突出する第２電極突出部が、前面基板側から見て、所要の間隔を開けて対向されており、第１電極と第２電極のうち前面基板の厚さ方向において前面基板側に位置する電極の少なくとも電極突出部を被覆している誘電体層の放電空間に面している部分に凹部が形成されているＰＤＰの実施形態を、その上位概念の実施形態としているものである。
【００６９】
この上位概念の実施形態を構成するＰＤＰは、リセット期間に、全ての第１電極の第１電極突出部と第２電極の第２電極突出部との間で一斉にリセット放電が行われて、この第１電極と第２電極を被覆している誘電体層の壁電荷が全て消去（または、誘電体層の全てに壁電荷が形成）される。
【００７０】
次のアドレス期間において、第１電極に走査パルスが順次印加され、第２電極に映像信号に対応したデータ・パルスが印加されて、互いに対になっている第１電極突出部と第２電極突出部との間で、選択的にアドレス放電が発生される。
【００７１】
この選択的にアドレス放電が発生された部分の誘電体層に壁電荷が形成（または、形成されていた壁電荷が消去）されて、誘電体層に壁電荷が形成されている放電セル（発光セル）と、壁電荷が形成されていない放電セル（非発光セル）とが、形成しようとする画像に対応してＰＤＰのパネル面に分布される。
【００７２】
この後、次の放電維持発光期間において、第１電極と第２電極に交互に放電維持パルスが印加されて、この放電維持パルスが印加される毎に、各発光セルにおいて、互いに対になっている第１電極突出部と第２電極突出部との間で、維持放電が発生される。
【００７３】
この放電維持発光期間において、第１電極と第２電極には、同じ電圧値の放電維持パルスが印加される。
【００７４】
ここで、このＰＤＰは、第１電極と第２電極のうち前面基板の厚さ方向において前面基板側に位置する電極の少なくとも電極突出部を被覆している誘電体層の放電空間に面している部分に凹部が形成されており、この誘電体層への凹部の形成によって、第１電極突出部から放電セル内の放電空間までの距離と第２電極突出部から放電セル内の放電空間までの距離との差が、小さくなっている。
【００７５】
これによって、第１電極と第２電極に同じ電圧値の放電維持パルスが印加される場合であっても、放電セルの放電空間内に形成される電場が、第１電極と第２電極とでほぼ同じになり、従来のように、対になっている電極に同じ電圧値の放電維持パルスを印加した場合に、維持放電が一方向のみにしか生じなくなるといった問題が発生する虞は無くなる。
【００７６】
さらに、第１電極と第２電極に異なる電圧値の放電維持パルスを印加する必要が無くなり、これによって、駆動電圧に差異が生じて放電特性が不安定になるのを防止することが出来るようになる。
【図面の簡単な説明】
【図１】従来例を示す斜視図である。
【図２】同従来例の正面図である。
【図３】図２のＶ−Ｖ線における断面図である。
【図４】図２のＷ−Ｗ線における断面図である。
【図５】この発明の実施形態における第１の例を模式的に示す正面図である。
【図６】図５のＶ１−Ｖ１線における断面図である。
【図７】図５のＶ２−Ｖ２線における断面図である。
【図８】図５のＶ３−Ｖ３線における断面図である。
【図９】図５のＷ１−Ｗ１線における断面図である。
【図１０】図５のＷ２−Ｗ２線における断面図である。
【図１１】図５のＷ３−Ｗ３線における断面図である。
【図１２】この発明の実施形態における第２の例を示す断面図である。
【符号の説明】
１０                      …前面ガラス基板
１１                …第１誘電体層（誘電体層）
１２                …第２誘電体層（誘電体層）
１２Ａ                      …凹部
１３                          …嵩上げ誘電体層
１３Ａ              …溝部（連通部）
１４                      …背面ガラス基板
１５，２５          …隔壁
１５Ａ              …縦壁部
１５Ｂ，２５Ｂ      …横壁部
１６                …蛍光体層
Ｘ１                …第１電極
Ｘ１ａ              …第１バス電極部（第１電極本体部）
Ｘ１ｂ              …第１透明電極部（第１電極突出部）
Ｙ１                      …第２電極
Ｙ１ａ                …第２バス電極部（第２電極本体部）
Ｙ１ｂ                …第２透明電極部（第２電極突出部）
Ｙ１ｃ                …電極連結部
ＢＳ                …光吸収層
Ｓ                        …放電空間
Ｃ１                            …放電セル（単位発光領域）
Ｌ                    …表示ライン
ｄ１                …維持放電
【図１】
2004335280.tif 000003
【図２】
2004335280.tif 000004
【図３】
2004335280.tif 000005
【図４】
2004335280.tif 000006
【図５】
2004335280.tif 000007
【図６】
2004335280.tif 000008
【図７】
2004335280.tif 000009
【図８】
2004335280.tif 000010
【図９】
2004335280.tif 000011
【図１０】
2004335280.tif 000012
【図１１】
2004335280.tif 000013
【図１２】
2004335280.tif 000014